(57)【要約】      （修正有）【課題】地上に設置された支柱等の軸部材を移動経路として移動する鼠等の害獣が所定領域に侵入することを阻止するための害獣忌避装置を提供する。【解決手段】小動物から成る害獣の移動経路Ｐを形成する軸部材１の全周から張出す平板状のフランジ体３と、該フランジ体を軸部材１に着脱自在に固着する着脱手段４とから成り、前記フランジ体３により軸部材１の周囲に害獣の乗り越えを不能とする遮壁３Ｘを形成する害獣忌避装置であり、左右に分割されると共に開閉手段３Ｐを介して開閉自在に枢結された左右フランジ板３Ｌ、３Ｒにより前記フランジ体３を構成しており、両フランジ板３Ｌ、３Ｒを閉じた状態で、両フランジ板の切欠き部に軸部材１を受入れると共に、両フランジ板の縁部１３ａＲ、１３ａＬ、１３ｂＲ、１３ｂＬを相互に接続させるように構成している。【選択図】図１
2017073981.tif 000002
【特許請求の範囲】
【請求項１】
小動物から成る害獣の移動経路(P)を形成する軸部材(1)の全周から張出す平板状のフランジ体(3)と、該フランジ体を前記軸部材(1)に着脱自在に固定する着脱手段(4)とから成り、前記フランジ体(3)により前記軸部材(1)の周囲に害獣の乗り越えを不能とする遮壁(3X)を形成するように構成して成ることを特徴とする害獣忌避装置。
【請求項２】
前記フランジ体(3)を左右に分割された左右フランジ板(3L,3R)により構成し、各フランジ板(3L,3R)に前記軸部材(1)の周面を受入れ自在とした切欠き部(12)と、該切欠き部(12)の両側に延びる縁部(13a,13b)を形成しており、
左右フランジ板(3L,3R)の切欠き部(12)及び縁部(13a,13b)を相互に対向して進退させるように両フランジ板(3L,3R)を開閉自在に枢結する開閉手段(3P)を設け、
左右フランジ板(3L,3R)を閉じることにより、前記切欠き部(12)に軸部材(1)の周面を受入れた状態で、左右フランジ板の縁部(13a,13b)を相互に接続させるように構成して成ることを特徴とする請求項１に記載の害獣忌避装置。
【請求項３】
前記軸部材(1)の外周面を着脱自在に挟持する挟持具(5)により前記着脱手段(4)及び開閉手段(3P)を構成しており、
前記挟持具(5)は、枢軸(9)を介して回動自在に枢結された一対のアーム(5L,5R)により、前記軸部材の周面を左右から開閉自在に挟持する掴持部(6,6)と、前記掴持部を開閉させる操作部(7,7)を形成し、前記操作部(7,7)を相互に近接方向に回動したとき前記掴持部(6,6)が開くように構成すると共に、前記掴持部(6,6)を閉じる方向に向けて弾発付勢する付勢手段(10)を設けており、
前記左右フランジ板(3L,3R)を両アームの掴持部の開閉に同行して開閉するように該掴持部(6,6)に連結して成ることを特徴とする請求項２に記載の害獣忌避装置。
【請求項４】
前記挟持具(5)を構成する一対のアームの掴持部(6)は、軸部材の軸方向に離間して配置された第１掴持部(6a)と第２掴持部(6b)により構成されて成ることを特徴とする請求項３に記載の害獣忌避装置。
【請求項５】
前記軸部材(1)に固設された固定部材(1a)の上に前記フランジ体(3)を搭載するように構成されており、
左右フランジ板(3L,3R)を閉じることにより、前記切欠き部(12)に軸部材(1)の周面を受入れると共に、左右フランジ板の縁部(13a,13b)を相互に接続させた状態で、左右フランジ板(3L,3R)を前記固定部材(1a)に固定する固定手段(18)を設けて成ることを特徴とする請求項２に記載の害獣忌避装置。
【請求項６】
前記左右フランジ板(3L,3R)は、両フランジ板を閉じたとき、一方のフランジ板(3L)の縁部(13aL,13bL)を他方のフランジ板(3R)の縁部(13aR,13bR)に重ね合わせることにより接続部(16a,16b)を形成して成ることを特徴とする請求項２、３、４又は５に記載の害獣忌避装置。
【発明の詳細な説明】
【技術分野】
【０００１】
本発明は、地上に設置された支柱等の軸部材を移動経路として移動する鼠等の害獣が所定領域に侵入することを阻止するための害獣忌避装置に関する。
【背景技術】
【０００２】
例えば、建物等においては、鼠等の害獣が外部から侵入することを阻止するための鼠返し等の防鼠部材を設けることが公知である。
【先行技術文献】
【特許文献】
【０００３】
【特許文献１】特開２０１３−２２１３２６公報
【特許文献２】特開２００７−１１３２１５公報
【発明の概要】
【発明が解決しようとする課題】
【０００４】
ところで、従来、漁業用の漁獲網の乾燥や補修作業のため、適宜の部材を用いることにより、地面から所定高さ位置に支持構造体を構築し、その上に漁獲網を展開状態で敷設することが行われている。しかしながら、地面から鼠等の害獣が支持構造体の上部によじ登ると共に、漁獲網を食い荒らすという被害を受けている。
【０００５】
この点に関して、漁獲網を敷設する支持構造体は、構築と解体を容易とするためには、従来から建設工事現場で使用されている仮設足場の構成部材を利用することにより構築することが好ましいが、その場合、地面に立設した多数の支柱を横架材で連結することにより構築されるので、該支柱を移動経路として鼠等の害獣が支持構造体の上部によじ登ることが予想される。
【０００６】
そこで、前記移動経路に害獣の移動を阻止するための装置を設けることが要望されているが、仮設式の支持構造体の場合、所望個所に簡単容易に着脱可能な装置とすることが好ましく、このため、上述した建物等に設けられている従来公知の防鼠部材とは異なる種々の課題を解決する必要がある。
【課題を解決するための手段】
【０００７】
本発明は、上記課題を解決した害獣忌避装置を提供するものであり、その手段として構成したところは、小動物から成る害獣の移動経路を形成する軸部材の全周から張出す平板状のフランジ体と、該フランジ体を前記軸部材に着脱自在に固着する着脱手段とから成り、前記フランジ体により前記軸部材の周囲に害獣の乗り越えを不能とする遮壁を形成するように構成して成る点にある。
【０００８】
本発明の好ましい実施形態は、前記フランジ体を左右に分割された左右フランジ板により構成し、各フランジ板に前記軸部材の周面を受入れ自在とした切欠き部と、該切欠き部の両側に延びる縁部を形成しており、左右フランジ板の切欠き部及び縁部を相互に対向して進退させるように両フランジ板を開閉自在に枢結する開閉手段を設け、左右フランジ板を閉じることにより、前記切欠き部に軸部材の周面を受入れた状態で、左右フランジ板の縁部を相互に接続させるように構成している。
【０００９】
本発明の第1実施形態は、前記軸部材の外周面を着脱自在に挟持する挟持具により前記着脱手段及び開閉手段を構成しており、前記挟持具は、枢軸を介して回動自在に枢結された一対のアームにより、前記軸部材の周面を左右から開閉自在に挟持する掴持部と、前記掴持部を開閉させる操作部を形成し、前記操作部を相互に近接方向に回動したとき前記掴持部が開くように構成すると共に、前記掴持部を閉じる方向に向けて弾発付勢する付勢手段を設けており、前記左右フランジ板を両アームの掴持部の開閉に同行して開閉するように該掴持部に連結している。
【００１０】
この際、前記挟持具を構成する一対のアームの掴持部は、軸部材の軸方向に離間して配置された第１掴持部と第２掴持部により構成することが好ましい。
【００１１】
本発明の第２実施形態は、前記軸部材に固設された固定部材の上に前記フランジ体を搭載するように構成されており、左右フランジ板を閉じることにより、前記切欠き部に軸部材の周面を受入れると共に、左右フランジ板の縁部を相互に接続させた状態で、左右フランジ板を前記固定部材に固定する固定手段を設けている。
【００１２】
上記第1実施形態及び第２実施形態の何れの場合においても、前記フランジ体を構成する左右フランジ板は、両フランジ板を閉じたとき、一方のフランジ板の縁部を他方のフランジ板の縁部に重ね合わせることにより接続部を形成することが好ましい。
【発明の効果】
【００１３】
請求項１に記載の本発明によれば、害獣忌避装置２は、着脱手段４を軸部材１に固着させることにより、所定個所に簡単容易にフランジ体３による遮壁３Ｘを形成することができるので、軸部材１を介して移動経路Ｐを移動する鼠等の害獣が所定領域に侵入することを好適に阻止することが可能となる。そして、仮設構造体等を解体するときは、簡単容易に軸部材１から取外すことができる。
【００１４】
請求項２に記載の本発明によれば、左右フランジ板３Ｌ、３Ｒは、開閉手段３Ｐを介して開閉自在とされ、両フランジ板３Ｌ、３Ｒを閉じることにより、切欠き部１２に軸部材１の周面を受入れると共に、縁部１３ａ、１３ｂを相互に接続させるように構成されているので、軸部材１の所定個所に対して、左右フランジ３Ｌ、３Ｒを開いた状態で臨ませると共に閉じるという簡単容易な作業により、該軸部材１の全周から張出すフランジ体３を形成することができる。
【００１５】
この際、軸部材１に装着された害獣忌避装置２は、左右フランジ板３Ｌ、３Ｒの切欠き部１２、１２を軸部材１の周面に近接させると共に、対向する左右フランジ板の縁部を相互に接続する構成であるから、鼠等の害獣の通過を許さない優れた遮壁３Ｘを提供することができる。
【００１６】
請求項３に記載の本発明（第１実施形態）によれば、挟持具５により着脱手段４と開閉手段３Ｐを構成しているので、ユーザが挟持具５の操作部７、７を手指で握持することにより掴持部６、６を開いたとき、左右フランジ板３Ｌ、３Ｒの第１縁部１３ａ、Ｌ１３ａＲと共に切欠き部１２、１２を開口させ、握持力を解放したとき、付勢手段１０により掴持部６、６を閉じて軸部材１を挟持すると共に、左右フランジ板３Ｌ、３Ｒを閉じることができ、害獣忌避装置２を軸部材１に着脱するための作業が簡単容易である。
【００１７】
この際、請求項４に記載の本発明によれば、軸部材１を挟持する挟持具５は、それぞれ軸部材１の軸方向に離間して配置された第１掴持部６ａと第２掴持部６ｂにより左右アーム５Ｌ、５Ｒの掴持部６、６を構成しているので、フランジ体３が強風等により煽られるような場合でも、軸部材１に沿ってずれ落ちることはなく、軸部材１に対して好適に固定することができる。
【００１８】
請求項５に記載の本発明（第２実施形態）によれば、軸部材１に固設された固定部材１ａの上にフランジ体(3)を搭載するように構成されているので、一般的に建設現場等で使用されている仮設足場の楔緊締用フランジ付き支柱が軸部材１として利用されている場合において、前記楔緊結用フランジを固定部材１ａとすることにより、本発明の害獣忌避装置２を好適に装着することができる利点がある。
【００１９】
上記の第１実施形態（請求項３及び４）と第２実施形態（請求項５）の何れの場合においても、請求項６に記載の本発明によれば、害獣忌避装置２を軸部材１に装着した状態で、左右フランジ板３Ｌ、３Ｒは、相互に、第１縁部１３ａＬ、１３Ｒａを重ね合わせることにより第１接続部１６ａを形成すると共に、第２縁部１３ｂＬ、１３ｂＲを重ね合わせることにより第２接続部１６ｂを形成しているので、鼠等の害獣の乗り越えを阻止するための優れた遮壁３Ｘを形成することができる。
【図面の簡単な説明】
【００２０】
【図１】本発明の第１実施形態に係る害獣忌避装置を示し、（Ａ）は装着状態を示す斜視図、（Ｂ）は着脱手段を示す拡大斜視図である。
【図２】第１実施形態に係る害獣忌避装置の分解状態を示す斜視図である。
【図３】第１実施形態に係る害獣忌避装置の装着状態を示す平面図である。
【図４】第１実施形態に係る害獣忌避装置の着脱方法を示す平面図である。
【図５】第１実施形態に係る害獣忌避装置の着脱時の作用を示し、（Ａ）はアームの掴持部を開いた状態を部分的に示す拡大平面図、（Ｂ）はアームの掴持部を閉じて軸部材を挟持した状態を部分的に示す拡大平面図である。
【図６】第１実施形態に係る害獣忌避装置の装着時の作用を示し、図５（Ｂ）のＡ−Ａ線に対応する断面図である。
【図７】本発明の第２実施形態に係る害獣忌避装置の分解状態を示す斜視図である。
【図８】第２実施形態に係る害獣忌避装置の装着状態を示す平面図である。
【発明を実施するための形態】
【００２１】
以下図面に基づいて本発明の実施形態を詳述する。図示省略しているが、本発明の害獣忌避装置を装着するための構造体の１例として、地面から所定高さ位置に漁獲網を展開状態で敷設するための支持構造体が構築されており、この支持構造体は、建設工事現場で使用されている仮設足場の構成部材を利用することにより、地面に多数の支柱を立設すると共に、支柱を横架材で連結することにより構築されている。支柱は、金属製の丸パイプから成る軸部材により構成され、従って、鼠等の小動物から成る害獣がよじ登る移動経路が形成されている。しかしながら、本発明の害獣忌避装置は、このような漁獲網用の支持構造体に限らず、鼠等の害獣の移動経路を形成する軸部材に広く利用可能であることを諒解されたい。
【００２２】
（第１実施形態）
図１ないし図６は、本発明の第１実施形態に係る害獣忌避装置２を示している。図１に示すように、害獣忌避装置２は、鼠等の害獣がよじ登る移動経路Ｐを形成する軸部材１の全周から張出す平板状のフランジ体３と、該フランジ体３を前記軸部材１に着脱自在に固着する着脱手段４とから成り、前記フランジ体３により前記軸部材１の周囲に害獣の乗り越えを不能とする遮壁３Ｘを形成するように構成されている。
【００２３】
前記フランジ体３は、左右に分割された左右フランジ板３Ｌ、３Ｒにより構成され、各フランジ板３Ｌ、３Ｒに軸部材１の周面を受入れ自在とする切欠き部１２と、該切欠き部１２の両側に延びる縁部１３を形成しており、左右フランジ板３Ｌ、３Ｒの切欠き部１２と縁部１３を相互に対向して進退させるように両フランジ板３Ｌ、３Ｒを開閉自在に枢結する開閉手段３Ｐを設けている。
【００２４】
この際、図示実施形態は、フランジ体３の全体が円板状となるように左右フランジ板３Ｌ、３Ｒを半円板状に形成しているが、円形に限らず、矩形その他の角形に形成しても良く、要するに、切欠き部１２を介して軸部材１の外周に配置されたとき、軸部材１をよじ登る鼠等の害獣が乗り越え不可能となる遮壁３Ｘを形成する大きさのものとして軸部材１の全周から張出すものであれば良い。
【００２５】
第１実施形態の場合、図１及び図２に示すように、前記着脱手段４と開閉手段３Ｐは、軸部材１の外周面を着脱自在に挟持する挟持具５により構成されている。
【００２６】
前記挟持具５は、金属板を折曲形成して成る左右一対のアーム５Ｌ、５Ｒを備え、両アーム５Ｌ、５Ｒの先端領域に前記軸部材１の周面を左右から開閉自在に挟持する掴持部６、６を設けると共に、尾端領域に前記掴持部６、６を開閉させる操作部７、７を設けており、両アーム５Ｌ、５Ｒの相互に対向するブラケット８、８を重ね合わせた状態で枢軸９により回動自在に枢結し、該枢軸９に外挿した鶴巻バネ等から成る付勢手段１０により、操作部７、７を開く方向に弾発付勢している。
【００２７】
従って、左右アーム５Ｌ、５Ｒは、掴持部６、６により挟持される軸部材１から離間して配置された枢軸９を介して回動自在であり、常時は付勢手段１０により掴持部６、６を閉じ方向に弾発し、操作部７、７を開いている。そこで、作業者が操作部７、７を手指で握持することにより付勢手段１０に抗して閉じ方向に回動すると、掴持部６、６が開き、その間に軸部材１を介入させることができる。そして、軸部材１を介入した状態で握持力を解放すると、付勢手段１０により掴持部６、６が閉じ、軸部材１の外周面を両側から挟持する。
【００２８】
図示のように、左右アーム５Ｌ、５Ｒは、それぞれの掴持部６を断面コ字形に折曲形成することにより、軸部材１の軸方向（図例の場合、上下方向）に離間して配置された第１掴持部６ａと第２掴持部６ｂを構成し、何れの掴持部６ａ、６ｂも、丸パイプから成る軸部材１の周面に接する円弧縁１１を形成することが好ましい。
【００２９】
前記左右フランジ板３Ｌ、３Ｒは、前記挟持具５により構成された開閉手段３Ｐに対して、一対の左右アーム５Ｌ、５Ｒの掴持部６、６の開閉に同行して開閉するようにそれぞれの掴持部６、６に連結されており、該掴持部６に臨む部位に前記切欠き部１２を円弧状に凹設し、該切欠き部１２の両側から前記縁部１３を構成する第１縁部１３ａと第２縁部１３ｂを前記円弧の直径方向に向けて延設している。即ち、図示のように、左フランジ板１３Ｌは、第１縁部１３ａＬ及び第２縁部１３ｂＬを形成しており、右フランジ板１３Ｒは、第１縁部１３ａＲ及び第２縁部１３ｂＲを形成している。
【００３０】
図示実施形態の場合、左右フランジ板３Ｌ、３Ｒは、切欠き部１２の近傍個所にボルト・ナット等の固着手段１４を介して固着された板状の連結片１５を立設し、該連結片１５の上部を前記アーム５Ｌ、５Ｒの断面コ字形に形成された掴持部６、６の背面部に重ね合わせ、ボルト・ナット等の固着手段１６により固着している。この際、図２に示すように、連結片１５の上部に上下方向に間隔をあけて複数のボルト用孔１５ａを設け、選択された孔１５ａにボルトを挿通することにより、前記連結片１５に対するアーム５Ｌ、５Ｒの連結固着位置を上下に変更可能とするように構成することが好ましい。これにより、挟持具５とフランジ体３の間にユーザの手指を挿入できる必要十分な空間を確保することができる。また、左右フランジ板３Ｌ、３Ｒに固設された左右の連結片１５、１５の間において、上下に異なる位置のボルト用孔１５ａを選択することにより、後述するように左右フランジ板３Ｌ、３Ｒの対向する縁部を重ね合わせることが可能となる。
【００３１】
このようにして挟持具５とフランジ体３を組付けた状態の害獣忌避装置２は、左右フランジ板３Ｌ、３Ｒの第２縁部１３ｂＬ、１３ｂＲを左右アーム５Ｌ、５Ｒの操作部７、７の下方に配置すると共に、第１縁部１３ａＬ、１３ａＲを掴持部６、６の先端延長方向に向けて配置している。この際、図１及び図３に示すように、掴持部６、６により軸部材１を挟持した状態で、左右フランジ板３Ｌ、３Ｒの第１縁部１３ａＬ、１３Ｒａが相互に重ね合わせられた第１接続部１６ａを形成すると共に、左右フランジ板３Ｌ、３Ｒの第２縁部１３ｂＬ、１３ｂＲが相互に重ね合わせられた第２接続部１６ｂを形成し、両フランジ板３Ｌ、３Ｒの切欠き部１２、１２が軸部材１の周面に近接するように構成されている。
【００３２】
図示実施形態の場合、右フランジ板３Ｒの第１縁部１３ａＲ及び第２縁部１３ｂＲを左フランジ板３Ｌの第１縁部１３ａＬ及び第２縁部１３ｂＬの上面に重ね合わせることにより前記第１接続部１６ａと第２接続部１６ｂを形成しているが、反対に下面に重ね合わせても良い。
【００３３】
そこで、図４に示すように、挟持具５の左右アーム５Ｌ、５Ｒを枢軸９の廻りに回動し、掴持部６、６を開いたとき、左右フランジ板３Ｌ、３Ｒの第１縁部１３ａＬ、１３ａＲが相互に離反方向に回動することにより開き、同時に開いた切欠き部１２、１２の間に軸部材１を挿入可能とする開口部１７を形成する。この際、左右フランジ板３Ｌ、３Ｒの第２縁部１３ｂＬ、１３ｂＲは、重ね領域を拡大する方向に向けて相互に摺動する。
【００３４】
上記のように構成した害獣忌避装置２によれば、漁獲網を展開状態で敷設するための支持構造体等における支柱等の軸部材１の軸方向に関して任意の個所に害獣の乗り越えを不可能とする遮壁３Ｘを設けることができ、しかも、仮設される支持構造体等の構築又は解体に応じて、簡単容易に着脱することができる。
【００３５】
図４及び図５（Ａ）に示すように、ユーザが挟持具５の操作部７、７を手指で握持することにより閉じると、掴持部６、６が開くと共に、これに同行する左右フランジ板３Ｌ、３Ｒの第１縁部１３ａ、Ｌ１３ａＲが相互に後退してほぼＶ形に開き、切欠き部１２、１２の間に開口部１７が形成される。
【００３６】
そこで、この状態で、軸部材１を前記掴持部６、６の間に進入させると共に、前記開口部１７から切欠き部１２、１２の間に進入させ、その後、前記握持力を解放すれば、付勢手段１０により掴持部６、６が閉じることにより軸部材１の周面を挟持すると共に、左右フランジ板３Ｌ、３Ｒが閉じるので、簡単容易に害獣忌避装置２を軸部材１の所望の任意個所に装着することが可能であり、これにより、軸部材１にフランジ体３による遮壁３Ｘが形成される。従って、軸部材１により形成された移動経路Ｐをよじ登ろうとする鼠等の害獣は、遮壁３Ｘを乗り越えることができず、軸部材１の上方領域に侵入不能とされることにより忌避される。
【００３７】
前記遮壁３Ｘを形成するフランジ体３の左右フランジ板３Ｌ、３Ｒは、切欠き部１２、１２を軸部材１の周面に近接させた状態で、第１縁部１３ａＬ、１３Ｒａを重ね合わせることにより第１接続部１６ａを形成すると共に、第２縁部１３ｂＬ、１３ｂＲを重ね合わせることにより第２接続部１６ｂを形成している。従って、鼠等の害獣の通過を許す空間を全く形成しておらず、しかも、第１接続部１３ａ及び第２接続部１３ｂは、左右フランジ板３Ｌ、３Ｒの縁部を密に重ね合わせているので、害獣が指先を引掛けて渡ることも不可能とされており、優れた遮壁３Ｘが形成される。
【００３８】
この際、図示実施形態の場合、軸部材１を挟持する挟持具５は、左右アーム５Ｌ、５Ｒの掴持部６、６がそれぞれ離間して配置された第１掴持部６ａと第２掴持部６ｂにより構成されているので、フランジ体３が強風等により煽られるような場合でも、軸部材１に沿ってずれ落ちることはなく、好適に軸部材１の所定個所に固定される。
【００３９】
図６に示すように、挟持具５を介して連結された左右フランジ板３Ｌ、３Ｒは、例えば、左フランジ板３Ｌが上向きＵに煽られたとき、右フランジ板３Ｒは下向きＤに押下げられる。この際、挟持具５の左アーム５Ｌにおいては、下側の第２掴持部６ｂが矢印Ｒのように軸部材１から離反しようとするが、上側の第１掴持部６ａは矢印Ｆのように軸部材１に圧接させられる。反対に、右アーム５Ｒにおいては、上側の第１掴持部６ａが矢印Ｒのように軸部材１から離反しようとするが、下側の第２掴持部１ｂは矢印Ｆのように軸部材１に圧接させられる。
【００４０】
従って、左右フランジ板３Ｌ、３Ｒが上下方向に煽られたときでも、常に、左右アーム５Ｌ、５Ｒの相互において、少なくとも、軸部材１を挟んで対向する一対の第１掴持部６ａと第２掴持部６ｂが該軸部材１に圧接されるので、軸部材１の軸方向に摺動しながらずれ落ちることはなく、所定位置に固定された姿勢を保持する。
【００４１】
その結果、鶴巻バネ等から成る付勢手段１０の弾発力を不必要に強力な構成としなくても足りるので、ユーザが操作部７、７を軽い力で閉じることができる挟持具５を提供することが可能となる。
【００４２】
上述のように漁獲網を展開状態で敷設するために構築された仮設の支持構造体等を解体する場合は、ユーザが挟持具５の操作部７、７を握持することにより、軸部材１から害獣忌避装置２を簡単容易に取外すことができる。この際、上記連結片１５の固着手段１４、１６の一方又は両方をボルト・ナット等の着脱可能な手段により構成しておけば、挟持具５と左右フランジ板３Ｌ、３Ｒを分解し、嵩張らない状態で保管・運搬することが可能となる。
【００４３】
（第２実施形態）
図７及び図８は、本発明の第２実施形態に係る害獣忌避装置２を示しており、害獣忌避装置２は、軸部材１に固設された固定部材１ａの上にフランジ体３を搭載するように構成されている。
【００４４】
上述したような地面から所定高さ位置に漁獲網を展開状態で敷設するための支持構造体は、建設工事現場で使用されている仮設足場の構成部材を利用することにより、地面に多数の支柱を立設すると共に、支柱を横架材で連結することにより構築することができる。その際、楔緊結式の足場構成部材を利用する場合、軸部材１として使用する支柱は、図示のような楔緊結用フランジを固設しているので、これを前記固定部材１ａとして利用することによりフランジ体３を搭載させることが可能である。
【００４５】
そこで、第２実施形態の場合、フランジ体３を構成する左右フランジ板３Ｌ、３Ｒは、それぞれ、切欠き部１２と、第１縁部１３ａ及び第２縁部１３ｂを形成している点において上記第１実施形態と同様であるが、左フランジ板３Ｌの第１縁部１３ａＬと右フランジ板３Ｒの第１縁部１３ａＲの端部をボルト・ナット等から成る枢軸９ａで回動自在に枢結することにより開閉手段３Ｐを構成し、左右フランジ板３Ｌ、３Ｒを閉じることにより、切欠き部１２を軸部材１の周面に近接させ、左フランジ板３Ｌの縁部１３ａＬ、１３ｂＬと右フランジ板３Ｒの縁部１３ａＲ、１３ｂＲを接続させるように構成している。
【００４６】
図示実施形態の場合、左フランジ板３Ｌは、第２縁部１３ｂＬよりも第１縁部１３ａＬを板厚に相当して上方に位置するように折曲し、該第１縁部１３ａＬの下面に右フランジ板３Ｒの第１縁部１３ａＲを重ねることにより第１接続部１６ａを形成している。同様に、右フランジ板３Ｒは、第１縁部１３ａＲよりも第２縁部１３ｂＲを板厚に相当して上方に位置するように折曲し、該第２縁部１３ｂＲの下面に左フランジ板３Ｌの第２縁部１３ｂＬを重ねることにより第２接続部１６ｂを形成している。従って、図示のように、左右フランジ板３Ｌ、３Ｒは、同一構成とされた１部品を２枚使用することにより構成することができる。
【００４７】
前記フランジ体３を固定部材１ａに搭載した状態で、左右フランジ板３Ｌ、３Ｒを前記固定部材１ａに固定するための固定手段１８が設けられており、該固定手段１８により、フランジ体３を軸部材１に対して前記固定部材１ａを介して着脱自在に固定する着脱手段４を構成している。図例の場合、固定手段１８は、第１固定手段１８ａと第２固定手段１８ｂの両方により構成されているが、何れかの一方だけでも良い。
【００４８】
第１固定手段１８ａは、左右フランジ板３Ｌ、３Ｒの下面に位置して切欠き部１２に臨んで設けられた嵌合手段１９により形成されており、左右フランジ板３Ｌ、３Ｒを開いた状態から閉じることにより、切欠き部１２を軸部材１の周面に近接させたとき、該嵌合手段１９により花形状に形成された楔緊結用フランジから成る固定部材１ａの花弁状突部１ｂを抱持状に嵌合するように構成されている。図例の場合、嵌合手段１９は、各フランジ板を構成する金属板を下向きに打ち抜くと共に折曲することにより一対のＬ形片を形成し、一対のＬ形片の間に前記突部１ｂを嵌入させるように構成している。
【００４９】
第２固定手段１８ｂは、左右フランジ板３Ｌ、３Ｒを閉じたとき相互に重なり合う第２縁部１３ｂＬ、１３ｂＲに開設された挿通孔２０と、楔緊結用フランジにより構成された固定部材１ａの楔孔１ｃに挿入される楔部材２１により構成されている。左右フランジ板３Ｌ、３Ｒを閉じることにより形成したフランジ体３を固定部材１ａの上に搭載した状態で、相互に重なり合う第２縁部１３ｂＬの挿通孔２０と第２縁部１３ｂＲの挿通孔２０を合致させると共に、該挿通孔２０を固定部材１ａの楔孔１ｃに合致させ、この状態で挿通孔２０と楔孔１ｃに楔部材２１を打ち込み挿通させると、フランジ体３が固定部材１ａに固定される。
【００５０】
図示実施形態の場合、枢軸９ａにより構成された開閉手段３Ｐの反対側、つまり、左右フランジ板３Ｌ、３Ｒの第２縁部１３ｂＬ、１３ｂＲの端部近傍に位置して、該第２縁部が重ね合わせられたとき相互に合致する止め孔２２が開設されており、該止め孔２２を介して第２縁部１３ｂＬ、１３ｂＲを重ね合わせた状態で固定するボルト・ナット等から成るファスナ２３が設けられている。
【００５１】
第２実施形態によれば、第１実施形態よりも部品点数が少なく構造が簡単であり、害獣忌避装置２を安価に提供できる利点がある。
【符号の説明】
【００５２】
Ｐ  移動経路
１  軸部材
１ａ  固定部材（楔緊結用フランジ）
１ｂ  固定部材の突部
１ｃ  固定部材の楔孔
２  害獣忌避装置
３  フランジ体
３Ｌ、３Ｒ  左右フランジ板
３Ｘ  遮壁
３Ｐ  開閉手段
４  着脱手段
５  挟持具
５Ｌ、５Ｒ  左右アーム
６  掴持部
６ａ  第１掴持部
６ｂ  第２掴持部
７  操作部
８  ブラケット
９  枢軸
１０  付勢手段
１１  円弧縁
１２  切欠き部
１３ａＬ、１３ａＲ  第１縁部
１３ｂＬ、１３ｂＲ  第２縁部
１４  固着手段
１５  連結片
１５ａ  ボルト用孔
１６ａ  第１接続部
１６ｂ  第２接続部
１７  開口部
１８  固定手段
１８ａ  第１固定手段
１８ｂ  第２固定手段
１９  嵌合手段
２０  挿通孔
２１  楔部材
２２  止め孔
２３  ファスナ
【図１】
2017073981.tif 000003
【図２】
2017073981.tif 000004
【図３】
2017073981.tif 000005
【図４】
2017073981.tif 000006
【図５】
2017073981.tif 000007
【図６】
2017073981.tif 000008
【図７】
2017073981.tif 000009
【図８】
2017073981.tif 000010